(57)【要約】【課題】熱交換器を有する空気調和機と送風機とを含む空調システムにおいて、空気調和機運転時の室内に浮遊するカビ数を減少させる。【解決手段】エアコン２０（熱交換器を有する空気調和機）と空気清浄機３０（送風機）とを含む空調システム１０であって、エアコン２０は、運転開始した場合に空気清浄機３０へその旨を通知し、空気清浄機３０は、前記通知を受けた場合に所定時間風量を増加させる運転を行う構成とする。【選択図】図１
2015161478.tif 000002
【特許請求の範囲】
【請求項１】
熱交換器を有する空気調和機と送風機とを含む空調システムであって、
前記空気調和機は、運転開始した場合に前記送風機へその旨を通知し、
前記送風機は、前記通知を受けた場合に所定時間風量を増加させる運転を行うことを特徴とする空調システム。
【請求項２】
前記風量を増加させる運転を行う間、徐々に風量を弱めることを特徴とする請求項１に記載の空調システム。
【請求項３】
熱交換器を有する空気調和機と連動する送風機であって、
前記空気調和機から運転開始の通知を受けた場合に所定時間風量を増加させる運転を行うことを特徴とする送風機。
【請求項４】
前記所定時間の最初の一部時間は残りの時間よりも強い風量で運転することを特徴とする請求項３に記載の送風機。
【請求項５】
前記風量を増加させる運転を行う間、徐々に風量を弱めることを特徴とする請求項３に記載の送風機。
【請求項６】
空気清浄部を有することを特徴とする請求項３〜５の何れかに記載の送風機。
【発明の詳細な説明】
【技術分野】
【０００１】
本発明は、熱交換器を有する空気調和機と送風機とを含む空調システムに関する。
【背景技術】
【０００２】
従来から、室内環境を良好に保つためにエアコンや空気清浄機といった空気調和機が使用されている。ここで、エアコンは冷房運転によって結露を生じやすく、冷房運転停止後に結露が室内機の内部で蒸発し、一時的に湿度が８０％を越えるような状態になるため、室内機内部に好湿性のカビが繁殖しやすい。エアコンにカビが発生していると、送風によって室内にカビの胞子等を拡散することになる。
【０００３】
例えば、夏にエアコンをつけたときの浮遊カビ菌は平均で屋外の２倍汚染されており、中でも屋外の５倍以上のカビ数が検出された家庭は全体の約２４％を占めているとの報告がある（非特許文献１参照）。さらにこの報告によれば、特にエアコン運転開始直後のカビ数が多く、運転開始３０分後に比べて１０倍以上であるとも記されている。
【０００４】
室内の空気がカビ汚染されると、アレルギー疾患や真菌性日和見感染症などを引き起こしやすくなることが懸念される。特にアレルギー疾患は年々増加傾向にあり、カビによるアレルギーはダニや花粉に次ぐ割合となっている。それに伴って、様々な対策商品も提案されており、今後も増加していくと考えられる。
【０００５】
例えば、センサーで室内の粉塵濃度を検出し、空気の汚れ具合に応じて多段運転する空気清浄機が開示されている（特許文献１参照）。また、エアコンの汚れセンサーで空気の汚染度を検出し、それに基づいて空気清浄機を最適に運転する空調管理システムも提案されている（特許文献２参照）。
【先行技術文献】
【特許文献】
【０００６】
【特許文献１】特開平５−２３５２０号公報
【特許文献２】特開２００８−２６７７９５号公報
【非特許文献】
【０００７】
【非特許文献１】濱田信夫、藤田忠雄、「カビ汚染とエアコン」、生活衛生、2001年、Vol.45、No.2、51-61
【発明の概要】
【発明が解決しようとする課題】
【０００８】
特許文献１によれば、エアコンから送風に含まれるカビを空気清浄機が検出して運転モードを切り替えるといったことが可能であるが、そもそもエアコンをつけたときに空気清浄機が運転していなければ役に立たない。また、カビの胞子は数μｍ程度と非常に小さく、比較的高感度のセンサーでなければ検出できず、高価なセンサーが必要となる。また、空気清浄機から送風された浄化された空気とエアコンから送風されたカビ汚染された空気とが混ざり、カビ汚染濃度が低下することにより、高感度のセンサーであってもカビの検出ができないか、もしくは検出までにタイムラグが発生することが予想される。また、エアコンからの送風が直接空気清浄機に当たらないような配置であると、カビの検出が困難になる。
【０００９】
また特許文献２によれば、エアコンの汚れセンサーで空気の汚染を検出した場合に、それに基づいて空気清浄機を運転することができるが、カビの胞子を検出するためには上述したように高感度の高価なセンサーを用いなければならない。また、エアコンにカビが発生している場合でも、送風経路においてセンサーの上流側にカビが発生している場合や、カビが偏って発生しており送風経路においてセンサーと離れている場合には、センサーで検出できない。これに対応するために複数のセンサーを設置することはコストアップ、製品の大型化、風量低下などの問題が生じるため現実的ではない。
【００１０】
このように、現状ではエアコンからの送風による室内空気のカビ汚染への対策が十分であるとは言えない。
【００１１】
本発明は、熱交換器を有する空気調和機と空気調和機に連動する送風機とを含む空調システムにおいて、空気調和機運転時の室内に浮遊するカビ数を減少させることを目的とする。
【課題を解決するための手段】
【００１２】
上記目的を達成するために本発明は、熱交換器を有する空気調和機と送風機とを含む空調システムであって、前記空気調和機は、運転開始した場合に前記送風機へその旨を通知し、前記送風機は、前記通知を受けた場合に所定時間風量を増加させる運転を行うことを特徴とする。
【００１３】
また、上記目的を達成するために本発明は、熱交換器を有する空気調和機と連動する送風機であって、前記空気調和機から運転開始の通知を受けた場合に所定時間風量を増加させる運転を行うことを特徴とする。
【発明の効果】
【００１４】
本発明によると、空気調和機の運転開始によって空気中の浮遊カビ菌数が増えた場合に、送風機で送風することによって浮遊カビ菌を速く減少させることができる。これにより、室内の空気がカビ汚染されることで引き起こしやすくなるアレルギー疾患や真菌性日和見感染症などを予防できる。
【図面の簡単な説明】
【００１５】
【図１】本発明の一実施形態の空調システムの模式図である。
【図２】図１のエアコンの一例を示す外観斜視図である。
【図３】図２のエアコンの要部構成を示すブロック図である。
【図４】図１の空気清浄機の一例を示す外観斜視図である。
【図５】図４の空気清浄機の要部構成を示すブロック図である。
【図６】送風と粉塵数の関係の一例を示すグラフである。
【図７】図６のグラフを対数表示したものである。
【図８】送風と粉塵数の関係の一例を示すグラフである。
【図９】図８のグラフを対数表示したものである。
【発明を実施するための形態】
【００１６】
以下に本発明の実施形態を図面を参照して説明する。本発明の空調システムは、熱交換器を有する空気調和機と送風機とを含むものである。熱交換器を有する空気調和機は以下ではエアコンを例に説明する。送風機はエアコンに連動しており、送風機能を有していればよく、扇風機、空気清浄機、イオン発生機などを用いることができ、以下ではイオン発生機能付きの空気清浄機を例に説明する。
【００１７】
（第１の実施形態）
図１は、本発明の第１の実施形態の空調システムの模式図である。空調システム１０は、エアコン２０と、イオン発生機能付きの空気清浄機３０とが一室に配置されて構成される。図１では、略直方体の部屋１１を想定し、一壁面１１ａの天井付近にエアコン２０が設置され、エアコン２０が設置された壁面１１ａに対向する壁面１１ｂ付近の床面に、エアコン２０に対向して空気清浄機３０が設置されている。図１における矢印Ａ〜Ｄは空気の流れを模式的に示している。
【００１８】
図２は、図１のエアコン２０の一例を示す外観斜視図、図３は、図２のエアコン２０の要部構成を示すブロック図である。図１に示してあるのは室内機であって、室外機とともにセパレート型のエアコンとして構成されている。ここでは単にエアコンと記した場合、室内機を指すものとする。エアコン２０は冷房運転、暖房運転、除湿運転、送風運転等の空調運転ができるものである。
【００１９】
エアコン２０は、合成樹脂製の筐体２１の内部に送風機及び室内熱交換器を収容している。送風機は筐体１０の形状に沿って水平方向に横長に延びるクロスフローファンと、これを回転させる電動機とを備える。室内熱交換器には室外機に収容された圧縮機から冷媒が送り込まれる。
【００２０】
筐体２１の前面上部から天面にかけての部分に多数のスリットからなる吸込口２２が形成されている。筐体２１の前面下部には正面から見て横長の矩形をなす吹出口２３が形成されている。送風機と吹出口２３との間には送風機から送り出された空気が通る通風路が形成されている。送風機を駆動すると、吸込口２２から筐体２１内に吸い込まれた室内空気が室内熱交換器を通過し、通風路を通って吹出口２３から室内に向かって吹き出される。
【００２１】
吹出口２３にはルーバー２４が配置されている。ルーバー２４はエアコン２０の停止時に吹出口２３を塞いで閉鎖する外装部材を兼ねており、吹出口２３同様に正面から見て横長の矩形をなしている。ルーバー２４は水平方向に延びる上辺部２４ａが回転中心となり下辺側を揺動可能にして筐体２１に支持され、室内熱交換器を通過した空気の吹き出し方向を変更可能である。ルーバー２４は空気の上下の吹き出し方向を調整するものであるが、エアコン２０は空気の左右の吹き出し方向を調整するルーバーも備えている。ルーバー２４は電動式であってリモコンの操作又は自動制御で向きの調整が可能となっている。
【００２２】
図３に示すように、エアコン２０は筐体２１内に制御部２８を収容し、制御部２８によって送風機２５、ルーバー２４、センサー２６、通信部２７等が制御される。センサー２６としては、温度センサー、湿度センサー、人体センサー、距離センサー等が用いられる。例えば、距離センサーによって空気清浄機３０の位置（方向）を計測し、制御部２８でルーバー２４の向きを空気清浄機３０の方向へ調整することで、空気清浄機３０へ向けて送風できる。通信部２７は赤外線や電波で同室内に設置されている空気清浄機３０と無線通信し、例えばエアコン２０の動作状況を空気清浄機３０へ送信する。なお、通信部２７は少なくとも空気清浄機３０へ情報を送信可能であればよく、受信機能は必須ではない。
【００２３】
図４は、図１の空気清浄機３０の一例を示す外観斜視図、図５は、図４の空気清浄機３０の要部構成を示すブロック図である。空気清浄機３０は、ベース３１の支持により本体部３２が立設されている。本体部３２の前面は前面パネル３３により覆われている。前面パネル３３には室内の空気を取り込む前面吸気口３４が設けられるとともに、本体部３２と前面パネル３３との隙間により側面吸気口３５が形成されている。前面パネル３３の背面側には空気清浄用フィルターユニット（空気清浄部）が設けられている。空気清浄用フィルターユニットはプレフィルター、脱臭フィルター、集塵フィルター等が吸気方向に積層されて構成される。
【００２４】
本体部３２の前面にはイオン発生装置で発生したイオンを含んだ空気を吹き出すイオン吹出口３６が設けられる。本体部３２の上面には、清浄された空気を吹き出す上面吹出口３７と、操作パネル３８とが設けられる。上面吹出口３７には空気の吹き出し方向を調整するルーバーが設けられる。このルーバーは電動式であって操作パネル３８の操作又は自動制御で向きの調整が可能となっている。
【００２５】
本体部３２内には、前面吸気口３４及び側面吸気口３５とイオン吹出口３６及び上面吹出口３７とを繋ぐ通風路が形成されている。通風路上には送風機とイオン発生装置とが設けられている。なお、吸気口３４以外の吸気口を設けてもよく、例えば背面吸気口や上面吸気口を追加してもよい。この場合、追加した吸気口に対応した吹出口を追加すれば、風量を増すことができる。
【００２６】
通風路の途中には所定数のダンパーが設けられる。ダンパーによってどの吸気口とどの吹出口とを連通するかを切り替えることができ、例えば、上面吹出口３７からのみ吹き出す場合、イオン吹出口３６からのみ吹き出す場合、上面吹出口３７及びイオン吹出口３６から吹き出す場合、前面吸気口３４のみから吸気する場合、側面吸気口３５のみから吸気する場合、前面吸気口３４及び側面吸気口３５から吸気する場合などに切り替えることができるようになっている。なお、吸気口及び吹出口を追加した場合は追加した吸気口及び吹出口もダンパーによって切り替えることができるようにする。
【００２７】
図５に示すように、空気清浄機３０は本体部３２内に制御部３９を収容し、制御部３９によって送風機４０、イオン発生装置４１、ダンパー４２、ルーバー４３、センサー４４、通信部４５等が制御される。
【００２８】
イオン発生装置４１は、高圧電圧の印加によりイオンを発生する電極からなるイオン発生電極を有し、イオン発生電極が通風路内に露出するように配される。イオン発生装置４１を送風機４０とイオン吹出口３６との間の通風路上に配置することにより、送風機と４０との衝突によるイオンの消滅を防止することができる。
【００２９】
イオン発生装置４１のイオン発生電極には交流波形またはインパルス波形から成る電圧が印加される。イオン発生電極の印加電圧が正電圧の場合は主としてＨ+（Ｈ2Ｏ）nから成るプラスイオンを発生し、負電圧の場合は主としてＯ2-（Ｈ2Ｏ）mから成るマイナスイオンを発生する。ここで、ｎ、ｍは整数である。Ｈ+（Ｈ2Ｏ）n及びＯ2-（Ｈ2Ｏ）mは空気中の浮遊菌や臭い成分の表面で凝集してこれらを取り囲む。
【００３０】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｎ'、ｍ'は整数である。従って、プラスイオン及びマイナスイオンを発生してイオン吹出口３６から送出することにより室内の殺菌及び臭い除去を行うことができる。また、プラスイオンとマイナスイオンは、浮遊カビ菌表面の細胞膜のタンパク質を切断して分解・除去し、除菌することができる。
【００３１】
Ｈ+（Ｈ2Ｏ）n＋Ｏ2-（Ｈ2Ｏ）m→・ＯＨ＋1/2Ｏ2＋（ｎ＋ｍ）Ｈ2Ｏ ・・・（１）
Ｈ+（Ｈ2Ｏ）n＋Ｈ+（Ｈ2Ｏ）n'＋Ｏ2-（Ｈ2Ｏ）m＋Ｏ2-（Ｈ2Ｏ）m' →2・ＯＨ＋Ｏ2＋（ｎ＋ｎ'＋ｍ＋ｍ'）Ｈ2Ｏ ・・・（２）
Ｈ+（Ｈ2Ｏ）n＋Ｈ+（Ｈ2Ｏ）n'＋Ｏ2-（Ｈ2Ｏ）m＋Ｏ2-（Ｈ2Ｏ）m' →Ｈ2Ｏ2＋Ｏ2＋（ｎ＋ｎ'＋ｍ＋ｍ'）Ｈ2Ｏ ・・・（３）
【００３２】
センサー４４としては、温度センサー、湿度センサー、人体センサー、距離センサー等が用いられる。例えば、距離センサーによってエアコン２０の位置（方向）を計測し、制御部３９でルーバー４３の向きをエアコン２０の方向へ調整することで、エアコン２０へ向けて送風できる。通信部４５は赤外線や電波で同室内に設置されているエアコン２０と無線通信し、例えばエアコン２０の動作状況を受信する。なお、通信部４５は少なくともエアコン２０からの情報を受信可能であればよく、送信機能は必須ではない。
【００３３】
このような構成の空調システム１０におけるエアコン２０及び空気清浄機３０の動作について以下に説明する。
【００３４】
空調システム１０において、まずエアコン２０が冷房運転など何れかの運転を開始すると、エアコン２０は空気清浄機３０へ運転を開始した旨の情報を送信する。これに対して空気清浄機３０は、エアコン２０からの情報を受信すると所定時間通常モード（例えば「弱」運転）よりも風量を増加させる運転を行う。ここで、エアコン２０から情報を受信したときに空気清浄機３０が停止している場合は、運転を開始し、所定時間後に停止するように制御することができる。また、エアコン２０から情報を受信したときに空気清浄機３０が運転中である場合は、少なくともその時点から所定時間は運転を継続するように制御することができる。
【００３５】
エアコン２０内にカビが発生している場合にエアコン２０の運転開始によってカビを含んだ空気が吹き出され、室内の空気がカビ汚染されるが、上記の構成により、空気清浄機３０からの送風によって室内の空気が循環するので、空気中のカビが短時間で床に落ち、短時間で浮遊カビ菌を減らすことができる。このことを実証する実験結果を以下に示す。なお、この実験では、空気清浄機３０に搭載されている空気清浄部を外し、空気清浄機３０をフィルターによる空気浄化機能を備えない単なる送風機として機能させている。また、イオンも発生しないようにしている。空気清浄部として集塵フィルターを搭載した場合には、空気清浄機に吸い込まれた空気中のカビは集塵フィルターに捕集されるため、より短時間で空気中の浮遊カビ菌を減らすことができる。イオンを発生させた場合は、さらに浮遊カビ菌を除菌することができる。
【００３６】
図６は、送風と粉塵数の関係の一例を示すグラフであり、図７は、図６のグラフを対数表示したものである。図６は３〜５μｍの粒径のＪＩＳ粉塵を用いた結果である。図８は、送風と粉塵数の関係の一例を示すグラフであり、図９は、図８のグラフを対数表示したものである。図８は１０μｍ以上の粒径のＪＩＳ粉塵を用いた結果である。
【００３７】
図６〜図９において、横軸は測定時間（分）、縦軸は浮遊粉塵数（個）を示している。０分時に粉塵を噴霧し、横軸の０分は噴霧後０〜１５分に回収した浮遊粉塵数を、横軸の１５分は噴霧後１５〜３０分に回収した浮遊粉塵数を、横軸の３０分は噴霧後３０〜４５分に回収した浮遊粉塵数をそれぞれ示している。△は送風なしの条件での計測結果を、○は送風ありの条件での計測結果をそれぞれ示している。
【００３８】
図６〜図９の結果から、時間経過に対する浮遊粉塵数は、大きさに関係なく、送風なしの場合に比べて送風ありの場合に減少が速いことがわかる。この結果から、エアコン２０の運転開始によって空気中の浮遊カビ菌数が増えた場合に、空気清浄機３０で送風することが浮遊カビ菌を速く落下させて空気中のカビ数を減少させるのに有効であることがわかる。
【００３９】
次に、上述した空気清浄機３０の所定時間風量を増加させる運転について、その制御方法を詳しく説明する。この制御方法は効率良く行うために以下のようにいくつかの方法が考えられる。なお、以下の運転制御方法は適宜組み合わせて用いることができる。
【００４０】
第１の運転制御方法は、所定時間の最初の一部時間は残りの時間よりも強い風量で運転する方法である。例えば、所定時間を３０分に設定すると、最初の１５分間を最も風量の強い「強」運転とし、続く１５分間を「強」運転より風量の弱い「中」運転とすることができる。なお、「中」運転に代えて「中」運転より風量の弱い「弱」運転としてもよい。
【００４１】
第１の運転制御方法によれば、エアコン２０の運転開始直後の浮遊カビ菌数が多い時間に空気清浄機３０の風量をより強くすることで浮遊カビ菌を速く減少させることができる。なお、この所定時間中はイオン発生装置４１も運転することにより、さらに浮遊カビ菌を速く減少させることができる。また、所定時間の最初の一部時間は残りの時間よりもイオン発生量を多くしてもよい。また、所定時間経過後も空気清浄機３０の運転を継続してもよい。
【００４２】
また、エアコン２０の運転開始時に既に、空気清浄機３０が所定モードで運転されている場合は、所定モードに優先して所定時間風量を強くする運転を行う。所定時間経過後は、空気清浄機３０はエアコン２０の運転開始時に運転されていた所定モードでの運転を再開する。
【００４３】
（第２の実施形態）
第２の制御方法は、第１の制御方法において所定時間風量を増加させる運転を行う間、徐々に風量を弱める方法である。例えば、所定時間を３０分に設定すると、強い風量で運転する最初の一部時間を１５分、残りの時間を１５分とすることができる。そして、強い風量で運転する最初の一部時間である１５分間を５分ずつに分け、最初の５分間を「強」運転とし、次の５分間を「中」運転とし、次の５分間を「弱」運転とすることで徐々に風量を弱める。そして、残りの時間である１５分間を「弱」運転より風量の弱い「微」運転とする。なお、徐々に風量を弱める手法としては無段階に徐々に弱めるようにしてもよい。
【００４４】
第２の制御方法によれば、第１の制御方法よりもさらに細かく制御でき、効率良く浮遊カビ菌を減少させることができるとともに、消費電力を抑えることができる。
【００４５】
また、第１又は第２の制御方法においては、エアコン２０が運転停止していた時間に応じて、所定時間運転する場合の風量を決定するようにしてもよい。エアコン２０が停止していた時間は、例えば前回エアコン２０から情報を受信した時間と今回受信した時間との差分から予測することができる。また、エアコン２０が停止していた時間の情報を送信するようにしてもよい。
【００４６】
例えば、所定時間運転する場合の風量を、運転停止していた時間が２４時間以内の場合は「中」運転とし、２４時間を越える場合は「強」運転とすることができる。これによれば、エアコン２０の停止時間が長く、エアコン２０内にカビが発生しやすい状況に応じて効率良く浮遊カビ菌を減少させることができる。
【００４７】
（第３の実施形態）
第３の制御方法は、所定時間の最初の一部時間は残りの時間よりも多くの吹出口を使用する方法である。例えば、所定時間を３０分に設定すると、最初の１５分間は上面吹出口３７及びイオン吹出口３６から吹き出す運転とし、続く１５分間は上面吹出口３７のみから吹き出す運転とすることができる。なお、上面吹出口３７のみから吹き出す運転に代えてイオン吹出口３６のみから吹き出す運転としてもよい。
【００４８】
第３の制御方法によれば、エアコン２０の運転開始直後の浮遊カビ菌数が多い時間に多くの吹出口から送風することにより風量が増し、浮遊カビ菌を速く減少させることができる。
【００４９】
（第４の実施形態）
第４の制御方法は、第３の制御方法において多くの吹出口を使用する間、徐々に使用する吹出口の数を減らす方法である。例えば、上面吹出口３７及びイオン吹出口３６に加え、もう一つ、前面吹出口を備えている構成とする。例えば、所定時間を３０分に設定すると、多くの吹出口を使用する最初の一部時間を１５分、残りの時間を１５分とすることができる。そして、多くの吹出口を使用する最初の一部時間である１５分間を７．５分ずつに分け、最初の７．５分間を３つ全ての吹出口から吹き出す運転とし、次の７．５分間を上面吹出口３７及びイオン吹出口３６から吹き出す運転とすることで徐々に使用する吹出口の数を減らす。そして、残りの時間である１５分間をイオン吹出口３６のみから吹き出す運転とする。
【００５０】
第４の制御方法によれば、第３の制御方法よりもさらに細かく制御でき、効率良く浮遊カビ菌を減少させることができるとともに、消費電力を抑えることができる。
【００５１】
また、第３又は第４の制御方法においては、エアコン２０が運転停止していた時間に応じて、多くの吹出口を使用する場合の吹出口の数を決定するようにしてもよい。例えば、運転停止していた時間が２４時間以内の場合は２つの吹出口から吹き出す運転とし、２４時間を越える場合は３つの吹出口から吹き出す運転とすることができる。これによれば、エアコン２０の停止時間が長く、エアコン２０内にカビが発生しやすい状況に応じて風量を増し、効率良く浮遊カビ菌を減少させることができる。
【００５２】
また、第１〜第４の制御方法においては、エアコン２０が運転停止していた時間に応じて、所定時間の長さを決定するようにしてもよい。例えば、運転停止していた時間が２４時間以内の場合は所定時間を３０分間とし、２４時間を越える場合は所定時間を４５分間とすることができる。これによれば、エアコン２０の停止時間が長く、エアコン２０内にカビが発生しやすい状況に応じて空気清浄機３０の運転時間を長くし、効率良く浮遊カビ菌を減少させることができる。
【００５３】
また、第１〜第４の制御方法においては、エアコン２０の累積運転時間（エアコンが設定されてから現在までの総運転時間）に応じて、所定時間の長さを決定するようにしてもよい。例えば、エアコン２０の累積運転時間が１０００時間以内の場合は所定時間を３０分間とし、１０００時間を越える場合は所定時間を４５分間とすることができる。これによれば、エアコン２０の累積運転時間が長く、エアコン２０内にカビが発生しやすい状況に応じて空気清浄機３０の運転時間を長くし、効率良く浮遊カビ菌を減少させることができる。
【００５４】
また、第１〜第４の制御方法においては、エアコン２０の使用期間（エアコンが設置されてから現在までの経過時間）に応じて、所定時間の長さを決定するようにしてもよい。例えば、エアコン２０の使用期間が１年以内の場合は所定時間を３０分間とし、１年を越える場合は所定時間を４５分間とすることができる。これによれば、エアコン２０の使用期間が長く、エアコン２０内にカビが発生しやすい状況に応じて空気清浄機３０の運転時間を長くし、効率良く浮遊カビ菌を減少させることができる。
【００５５】
また、第１〜第４の制御方法においては、エアコン２０が空気清浄機３０の位置を認識し、エアコン２０は、運転開始から所定時間は空気清浄機３０に向けて送風するようにしてもよい。例えば、エアコン２０が図１の矢印Ａ又はＢの方向に送風するようにする。矢印Ａの方向に送風すればエアコン２０からの送風が空気清浄機３０で吸気されやすい。この場合、空気清浄機３０には上面又は背面に吸気口があると効率良く吸気できる。一方、矢印Ｂの方向に送風すれば空気清浄機３０からの送風とぶつかり、効率良く浮遊カビ菌を減少させることができる。
【００５６】
また、第１〜第４の制御方法においては、空気清浄機３０がエアコン２０の位置を認識し、空気清浄機３０は、運転開始から所定時間はエアコン２０に向けて送風するようにしてもよい。例えば、空気清浄機３０が図１の矢印Ｃの方向に送風するようにする。矢印Ｃの方向に送風すればエアコン２０からの送風とぶつかり、効率良く浮遊カビ菌を減少させることができる。この場合、空気清浄機３０には前面、特に前面下部に吸気口があると、ぶつかった空気を図１の矢印Ｄのように効率良く吸気できる。
【００５７】
なお、上記の実施形態ではイオン発生機能付きの空気清浄機３０を例に説明したが、送風機又はイオン発生機においても同様に適用できる。また、エアコン２０ではなく除湿機など熱交換器を有する空気調和機においても同様に適用できる。
【００５８】
以下に本発明の実施形態についてまとめる。
【００５９】
１．熱交換器を有する空気調和機（エアコン２０）と送風機（空気清浄機３０）とを含む空調システムであって、前記空気調和機は、運転開始した場合に前記送風機へその旨を通知し、前記送風機は、前記通知を受けた場合に所定時間風量を増加させる運転を行うことを特徴とする。
【００６０】
この構成によれば、空気調和機運転時の室内に浮遊するカビ数を減少させることができる。
【００６１】
２．前記１に記載の空調システムにおいて、前記送風機は、前記所定時間の最初の一部時間は残りの時間よりも強い風量で運転することを特徴とする。
【００６２】
３．前記１に記載の空調システムにおいて、前記風量を増加させる運転を行う間、徐々に風量を弱めることを特徴とする。
【００６３】
４．前記１〜３の何れかに記載の空調システムにおいて、前記送風機が複数の吹出口を備え、前記送風機は、前記所定時間の最初の一部時間は残りの時間よりも多くの吹出口を使用することを特徴とする。
【００６４】
５．前記４に記載の空調システムにおいて、前記多くの吹出口を使用する間、徐々に使用する吹出口の数を減らすことを特徴とする。
【００６５】
６．前記１〜５の何れかに記載の空調システムにおいて、前記送風機は、前記空気調和機が運転停止していた時間に応じて、前記所定時間運転する場合の風量を決定することを特徴とする。
【００６６】
７．前記４又は５に記載の空調システムにおいて、前記送風機は、前記空気調和機が運転停止していた時間に応じて、前記多くの吹出口を使用する場合の吹出口の数を決定することを特徴とする。
【００６７】
８．前記１〜７の何れかに記載の空調システムにおいて、前記送風機は、前記空気調和機が運転停止していた時間に応じて、前記所定時間の長さを決定することを特徴とする。
【００６８】
９．前記１〜７の何れかに記載の空調システムにおいて、前記送風機は、前記空気調和機の累積運転時間に応じて、前記所定時間の長さを決定することを特徴とする。
【００６９】
１０．前記１〜７の何れかに記載の空調システムにおいて、前記送風機は、前記空気調和機の使用期間に応じて、前記所定時間の長さを決定することを特徴とする。
【００７０】
１１．前記１〜１０の何れかに記載の空調システムにおいて、前記空気調和機が前記送風機の位置を認識し、前記空気調和機は、運転開始から前記所定時間は前記送風機に向けて送風することを特徴とする。
【００７１】
１２．前記１〜１１の何れかに記載の空調システムにおいて、前記送風機が前記空気調和機の位置を認識し、前記送風機は、運転開始から前記所定時間は前記空気調和機に向けて送風することを特徴とする。
【００７２】
前記２〜１２の構成によれば、状況に応じて効率良く浮遊カビ菌を減少させることができる。
【００７３】
１３．前記１〜１２の何れかに記載の空調システムにおいて、前記送風機が上面から吸気することを特徴とする。この構成によれば、送風機を空気調和機に対向して配置した場合に、空気調和機から送風された空気を効率良く吸気できる。
【００７４】
１４．前記１〜１３の何れかに記載の空調システムにおいて、前記送風機が背面から吸気することを特徴とする。この構成によれば、送風機を空気調和機に対向する壁面に沿って配置した場合に、空気調和機から送風された空気を効率良く吸気できる。
【００７５】
１５．前記１〜１４の何れかに記載の空調システムにおいて、前記送風機が前面下部から吸気することを特徴とする。この構成によれば、空気調和機からの送風と送風機からの送風とがぶつかって下りてきた空気を効率良く吸気できる。
【００７６】
１６．前記１〜１５の何れかに記載の空調システムにおいて、前記送風機が空気清浄部を有することを特徴とする。この構成によれば、浮遊カビ菌をさらに減少させることができる。
【００７７】
１７．前記１〜１６の何れかに記載の空調システムにおいて、前記送風機がイオン発生装置を有することを特徴とする。この構成によれば、浮遊カビ菌をさらに減少させることができる。
【００７８】
１８．熱交換器を有する空気調和機と連動する送風機であって、前記空気調和機から運転開始の通知を受けた場合に所定時間風量を増加させる運転を行うことを特徴とする。
【００７９】
１９．前記１８に記載の送風機において、前記所定時間の最初の一部時間は残りの時間よりも強い風量で運転することを特徴とする。
【００８０】
２０．前記１８に記載の送風機において、前記風量を増加させる運転を行う間、徐々に風量を弱めることを特徴とする
【００８１】
２１．前記１８〜２０の何れかに記載の送風機において、複数の吹出口を備え、前記所定時間の最初の一部時間は残りの時間よりも多くの吹出口を使用することを特徴とする。
【００８２】
２２．前記２１に記載の送風機において、前記多くの吹出口を使用する間、徐々に使用する吹出口の数を減らすことを特徴とする。
【００８３】
２３．前記１８〜２２の何れかに記載の送風機において、前記空気調和機が運転停止していた時間に応じて、前記所定時間運転する場合の風量を決定することを特徴とする。
【００８４】
２４．前記２１又は２２に記載の送風機において、前記空気調和機が運転停止していた時間に応じて、前記多くの吹出口を使用する場合の吹出口の数を決定することを特徴とする。
【００８５】
２５．前記１８〜２４の何れかに記載の送風機において、前記空気調和機が運転停止していた時間に応じて、前記所定時間の長さを決定することを特徴とする。
【００８６】
２６．前記１８〜２４の何れかに記載の送風機において、前記空気調和機の累積運転時間に応じて、前記所定時間の長さを決定することを特徴とする。
【００８７】
２７．前記１８〜２４の何れかに記載の送風機において、前記空気調和機の使用期間に応じて、前記所定時間の長さを決定することを特徴とする。
【００８８】
２８．前記１８〜２７の何れかに記載の送風機において、前記空気調和機の位置を認識し、運転開始から前記所定時間は前記空気調和機に向けて送風することを特徴とする。
【００８９】
２９．前記１８〜２８の何れかに記載の送風機において、上面から吸気することを特徴とする。
【００９０】
３０．前記１８〜２９の何れかに記載の送風機において、前記送風機が背面から吸気することを特徴とする。
【００９１】
３１．前記１８〜３０の何れかに記載の送風機において、前面下部から吸気することを特徴とする。
【００９２】
３２．前記１８〜３１の何れかに記載の送風機において、空気清浄部を有することを特徴とする。
【００９３】
３３．前記１８〜３２の何れかに記載の送風機において、イオン発生装置を有することを特徴とする。
【００９４】
前記１８〜３３の構成によれば、前記１〜１０、１２〜１７とそれぞれ同様の効果を得ることができる。
【符号の説明】
【００９５】
１０  空調システム
２０  エアコン（熱交換器を有する空気調和機）
３０  空気清浄機（送風機）
４１  イオン発生装置
【図１】
2015161478.tif 000003
【図２】
2015161478.tif 000004
【図３】
2015161478.tif 000005
【図４】
2015161478.tif 000006
【図５】
2015161478.tif 000007
【図６】
2015161478.tif 000008
【図７】
2015161478.tif 000009
【図８】
2015161478.tif 000010
【図９】
2015161478.tif 000011